(57)【要約】【課題】トルクワイヤ及び管材の腐食を低減できるＯＣＴ用カテーテルを提供する。【解決手段】ＯＣＴ用カテーテル１０Ａは、駆動力をカテーテル１０Ａの先端部へ伝達する金属製の管状のトルクワイヤ１２と、トルクワイヤ１２と駆動装置との間に配置され、トルクワイヤ１２と連通しており駆動力をトルクワイヤ１２に伝達する金属製の管材１３と、トルクワイヤ１２及び管材１３の各中空部に内包され、駆動装置と先端部とを光学的に結合する光ファイバ１１とを備える。トルクワイヤ１２の端部１２ａは管材１３の中空部１３ａ内に挿入されており、端部１２ａと中空部１３ａとの間に絶縁部材１４が配置されることにより管材１３とトルクワイヤ１２とが互いに絶縁されている。【選択図】図２
2015097712.tif 000002
【特許請求の範囲】
【請求項１】
光干渉断層撮像に用いられ、駆動装置からの駆動力を受けてスキャン動作及びプルバック動作を行うカテーテルであって、
前記駆動力を前記カテーテルの先端部へ伝達する金属製の管状のトルクワイヤと、
前記トルクワイヤと前記駆動装置との間に配置され、前記トルクワイヤと連通しており前記駆動力を前記トルクワイヤに伝達する金属製の管材と、
前記トルクワイヤ及び前記管材の各中空部に内包され、前記駆動装置と前記先端部とを光学的に結合する光ファイバと
を備え、
前記管材及び前記トルクワイヤのうち一方の端部が他方の前記中空部内に挿入され、該端部と該中空部との間に絶縁部材が配置されることにより前記管材と前記トルクワイヤとが互いに絶縁されている、光干渉断層撮像用カテーテル。
【請求項２】
前記絶縁部材が樹脂製であり、前記絶縁部材の厚さが０．００４ｍｍ以上である、請求項１に記載の光干渉断層撮像用カテーテル。
【請求項３】
光干渉断層撮像に用いられ、駆動装置からの駆動力を受けてスキャン動作及びプルバック動作を行うカテーテルであって、
前記駆動力を前記カテーテルの先端部へ伝達する金属製の管状のトルクワイヤと、
前記トルクワイヤと前記駆動装置との間に配置され、前記トルクワイヤと連通しており前記駆動力を前記トルクワイヤに伝達する管材と、
前記トルクワイヤ及び前記管材の各中空部に内包され、前記駆動装置と前記先端部とを光学的に結合する光ファイバと
を備え、
前記管材及び前記トルクワイヤのうち一方の端部が他方の前記中空部内に挿入され、前記管材の前記トルクワイヤとの接触部分が絶縁性材料から成る、光干渉断層撮像用カテーテル。
【発明の詳細な説明】
【技術分野】
【０００１】
本発明は、光干渉断層撮像用カテーテルに関するものである。
【背景技術】
【０００２】
特許文献１には、血管及び脈管等の体腔内に挿入されて管腔断面像を取得するために用いられる生体内挿入用プローブ装置が記載されている。この文献に記載されたプローブ装置は、駆動伝達のための中空シャフトと、該中空シャフト内を貫通する光ファイバと、光ファイバの基端部に接続されたコネクタと、中空シャフトの基端部とコネクタとを接続する接続部材とを備えている。
【先行技術文献】
【特許文献】
【０００３】
【特許文献１】特開２００９−２４０７１１号公報
【発明の概要】
【発明が解決しようとする課題】
【０００４】
光干渉断層撮像（Optical Coherence Tomography：ＯＣＴ）装置は、駆動装置と、駆動装置からの駆動力を受けてスキャン動作及びプルバック動作を行うカテーテルとを備えている。カテーテルは、管状のトルクワイヤの中空部に光ファイバが挿通されて成り、駆動装置から与えられた照射光をその先端部から生体内に照射するとともに、生体から得られた反射光を先端部から駆動装置に伝達する。カテーテルと駆動装置とは着脱可能なコネクタによって相互に接続されている。トルクワイヤは可撓性であるが、狭い外装シース内に収められているのでプルバック動作時においても座屈は生じない。但し、コネクタ付近のカテーテル内部は比較的広くなっているので、座屈を防ぐため、トルクワイヤよりも機械的強度が高い管状の部材（以下、管材）が配置される。スキャン動作及びプルバック動作のための駆動装置からの駆動力は、この管材を介してトルクワイヤに伝達される。
【０００５】
しかしながら、上記の構造では次の問題がある。一般的に、トルクワイヤは、機械的強度及び信頼性を高めるため金属製とされる。一方、管材もまた、同じ理由により金属製であることが望まれる。しかし、このような構造において、トルクワイヤと管材との固定のため互いの金属製の表面が接触すると、電子が移動しやすく反応性が高くなる。従って、トルクワイヤ及び管材の少なくとも一方が腐食し易くなってしまう。特に、トルクワイヤと管材とが互いにイオン化傾向の異なる異種金属からなる場合、若しくは構造が異なる同組成の金属からなる場合に、その傾向が顕著となる。トルクワイヤや管材が腐食すると、スキャン動作時に駆動力のロスが発生し、また、トルクワイヤの円滑な回転が妨げられるといった問題が生じる。
【０００６】
本発明は、このような問題点に鑑みてなされたものであり、トルクワイヤ及び管材の腐食を低減できるＯＣＴ用カテーテルを提供することを目的とする。
【課題を解決するための手段】
【０００７】
本願発明に係る第１の光干渉断層撮像用カテーテルは、光干渉断層撮像に用いられ、駆動装置からの駆動力を受けてスキャン動作及びプルバック動作を行うカテーテルであって、駆動力をカテーテルの先端部へ伝達する金属製の管状のトルクワイヤと、トルクワイヤと駆動装置との間に配置され、トルクワイヤと連通しており駆動力をトルクワイヤに伝達する金属製の管材と、トルクワイヤ及び管材の各中空部に内包され、駆動装置と先端部とを光学的に結合する光ファイバとを備える。管材及びトルクワイヤのうち一方の端部は他方の中空部内に挿入され、該端部と該中空部との間に絶縁部材が配置されることにより管材とトルクワイヤとが互いに絶縁されている。
【０００８】
また、本願発明に係る第２の光干渉断層撮像用カテーテルは、光干渉断層撮像に用いられ、駆動装置からの駆動力を受けてスキャン動作及びプルバック動作を行うカテーテルであって、駆動力をカテーテルの先端部へ伝達する金属製の管状のトルクワイヤと、トルクワイヤと駆動装置との間に配置され、トルクワイヤと連通しており駆動力をトルクワイヤに伝達する管材と、トルクワイヤ及び管材の各中空部に内包され、駆動装置と先端部とを光学的に結合する光ファイバとを備える。管材及びトルクワイヤのうち一方の端部は他方の中空部内に挿入され、管材のトルクワイヤとの接触部分が絶縁性材料から成る。
【発明の効果】
【０００９】
本発明によるＯＣＴ用カテーテルによれば、トルクワイヤ及び管材の腐食を低減できる。
【図面の簡単な説明】
【００１０】
【図１】図１は、第１実施形態に係るＯＣＴ装置の構成を概略的に示す図である。
【図２】図２は、第一実施形態に係るＯＣＴ用カテーテルの光ファイバの光軸に沿った断面の一部を拡大して示す図である。
【図３】図３は、第２実施形態に係るカテーテルの構成を示す図である。
【発明を実施するための形態】
【００１１】
［本願発明の実施形態の説明］
最初に本願発明の実施形態の内容を列記して説明する。（１）本願発明に係る第１の光干渉断層撮像用カテーテルは、光干渉断層撮像に用いられ、駆動装置からの駆動力を受けてスキャン動作及びプルバック動作を行うカテーテルであって、駆動力をカテーテルの先端部へ伝達する金属製の管状のトルクワイヤと、トルクワイヤと駆動装置との間に配置され、トルクワイヤと連通しており駆動力をトルクワイヤに伝達する金属製の管材と、トルクワイヤ及び管材の各中空部に内包され、駆動装置と先端部とを光学的に結合する光ファイバとを備える。管材及びトルクワイヤのうち一方の端部は他方の中空部内に挿入され、該端部と該中空部との間に絶縁部材が配置されることにより管材とトルクワイヤとが互いに絶縁されている。
【００１２】
（２）また、本願発明に係る第２の光干渉断層撮像用カテーテルは、光干渉断層撮像に用いられ、駆動装置からの駆動力を受けてスキャン動作及びプルバック動作を行うカテーテルであって、駆動力をカテーテルの先端部へ伝達する金属製の管状のトルクワイヤと、トルクワイヤと駆動装置との間に配置され、トルクワイヤと連通しており駆動力をトルクワイヤに伝達する管材と、トルクワイヤ及び管材の各中空部に内包され、駆動装置と先端部とを光学的に結合する光ファイバとを備える。管材及びトルクワイヤのうち一方の端部は他方の中空部内に挿入され、管材のトルクワイヤとの接触部分が絶縁性材料から成る。
【００１３】
上記の第１及び第２のＯＣＴ用カテーテルでは、管材及びトルクワイヤのうち一方の端部が他方の中空部内に挿入されることにより、管材とトルクワイヤとが連通することができる。そして、管材とトルクワイヤとが互いに対向する部分に、金属同士の接触が生じない工夫が施されている。すなわち、第１のＯＣＴ用カテーテルでは、管材とトルクワイヤとの間に絶縁部材が配置されることにより、管材とトルクワイヤとが互いに絶縁されている。また、第２のＯＣＴ用カテーテルでは、管材のトルクワイヤとの接触部分が絶縁性材料から成る。これらの構成によって、管材とトルクワイヤとの良好な絶縁を図ることができるので、電子の移動を抑えて反応性を低下させ、トルクワイヤ及び管材の腐食を効果的に低減することができる。
【００１４】
（３）上記第１のＯＣＴ用カテーテルにおいて、絶縁部材は樹脂製であり、絶縁部材の厚さは０．００４ｍｍ以上であることが好ましい。本発明者の知見によれば、絶縁部材が樹脂製である場合であっても、絶縁部材の厚さが０．００４ｍｍ以上であれば、絶縁部材の破損を抑えつつ上記一方の端部を上記他方の中空部内に挿入することができる。
【００１５】
［本願発明の実施形態の詳細］
本発明の実施形態に係るＯＣＴ用カテーテルの具体例を、以下に図面を参照しつつ説明する。なお、本発明はこれらの例示に限定されるものではなく、特許請求の範囲によって示され、特許請求の範囲と均等の意味及び範囲内でのすべての変更が含まれることが意図される。以下の説明では、図面の説明において同一の要素には同一の符号を付し、重複する説明を省略する。
【００１６】
（第１実施形態）
図１は、第１実施形態に係るＯＣＴ装置１Ａの構成を概略的に示す図である。図１に示されるように、ＯＣＴ装置１Ａは、本体部４と、駆動装置５と、カテーテル１０Ａとを備えている。
【００１７】
本体部４は、体内イメージ取得のための基本機能を実現する光源、光学測定部、制御部、画像計算を行うコンピュータ、電源等を内蔵する。本体部４には、操作者が容易に移動し得るようにキャスター４ａが取り付けられている。本体部４の上部には、イメージング画像の表示を行うモニタ６、及び操作入力のためのキーボードやマウスと行った入力手段などが設けられている。
【００１８】
駆動装置５は、カテーテル１０Ａの回転スキャン動作およびプルバック動作を行う装置である。駆動装置５は、電気配線および光ファイバを含むケーブル５１を介して本体部４と接続されており、本体部４から離れて患者の近くに配置される。
【００１９】
カテーテル１０Ａは、患者の体腔内部（例えば血管ＢＶ内）に挿入される細長形状の可撓性部材である。カテーテル１０Ａの使用は一回限りなので、カテーテル１０Ａは駆動装置５に対して着脱可能となっており、使用毎に交換される。カテーテル１０Ａの基端部は、コネクタを介して駆動装置５に対し着脱可能に取り付けられる。また、カテーテル１０Ａの先端部１０ｄには、患者の体内に光Ｌ１を照射するための機構が設けられている。カテーテル１０Ａには、駆動装置５と先端部１０ｄとを光学的に結合するための光ファイバが内蔵されている。
【００２０】
図２は、光ファイバの光軸に沿ったカテーテル１０Ａの一部（図１のＡ部分）の断面を拡大して示す図である。図２に示されるように、本実施形態のカテーテル１０Ａは、上述した光ファイバ１１に加えて、トルクワイヤ１２と、管材１３と、絶縁部材１４と、外装シース１５とを備えている。
【００２１】
光ファイバ１１は、例えばシングルモード光ファイバによって構成され、高屈折率のコア領域および低屈折率のクラッドからなるガラス製線状体と、このガラス製線状体を覆う樹脂被覆とを含んで構成される。トルクワイヤ１２は、金属製且つ管状の可撓性部材である。トルクワイヤ１２は、光ファイバ１１を中空部に内包するとともに、駆動装置５から伝達される回転力や軸方向の移動といった駆動力をカテーテル１０Ａの先端部１０ｄに伝達する。カテーテル１０Ａには、複雑に湾曲した血管ＢＶ内を通るために高い可撓性及び機械強度が要求される。トルクワイヤ１２は、それらの特性を実現する。
【００２２】
管材１３は、金属製且つ筒状の部材である。管材１３は、トルクワイヤ１２と駆動装置５との間に配置されている。管材１３は、その中空部１３ａ内にトルクワイヤ１２の端部１２ａが挿入されることにより、トルクワイヤ１２と連通している。トルクワイヤ１２と管材１３との連結部分は、これらの外周を覆う樹脂部材１７を介して互いに固定されている。そして、管材１３は、光ファイバ１１を中空部に内包するとともに、駆動装置５から伝達される回転力や軸方向の移動といった駆動力をトルクワイヤ１２に伝達する。管材１３の構成材料は、トルクワイヤ１２と異なってもよく、同じであってもよい。
【００２３】
トルクワイヤ１２及び管材１３の構成材料としては、例えば以下のものが挙げられる。すなわち、ステンレス鋼（ＳＵＳ３０４、ＳＵＳ３０３、ＳＵＳ３０４Ｌ、ＳＵＳ３１６、ＳＵＳ３１６Ｌ、ＳＵＳ４０３、ＳＵＳ４２０Ｊ２、ＳＵＳ４４０Ｃ、ＳＵＳ３２１、ＳＵＳ３１０Ｓ、ＳＵＳ３０１、４３０ＭＡ、ＳＵＳ４３０ＬＸ、ＳＵＳ４３６Ｌ、ＳＵＳ４４４、ＳＵＳ６３０）、構造用炭素鋼（ＳＳ４００、Ｓ４５Ｃ、ＳＫＳ９３、ＳＫＳ３、ＳＫＤ１１）、特殊鋼（ＤＣ５３）、クロモリブデン鋼（ＳＣＭ４３５）、プリハードン鋼（ＮＡＫ５５、ＮＡＫ８０）、アルミ合金（Ａ１０７０、Ａ２０１４、Ａ２０１７、Ａ２０２４、Ａ５０５２、Ａ５０５６、Ａ５０８３、Ａ６０６１、Ａ６０６３、Ａ７０７５）、銅若しくはその合金（無酸素銅、タフピッチ銅、テルル銅、リン青銅、クローム銅、ベリリウム銅２５合金、ベリリウム銅５０合金、特殊アルミニウム青銅）、真鍮（快削黄銅、快削黄銅カドミレス付、ネーバル黄銅、高力黄銅、砲金）、チタン若しくはニッケル又はそれらの合金（純チタン、インコネル、純ニッケル、ニッケルチタン、パーマロイ、コパール、ハステロイ）などである。
【００２４】
絶縁部材１４は、トルクワイヤ１２の端部１２ａの外周面と、管材１３の中空部１３ａの内周面との間に配置されている。絶縁部材１４は、例えば管状（チューブ状）の部材であり、一実施例では樹脂製である。或いは、絶縁部材１４は、ペースト状の樹脂が硬化されることによって構成されてもよい。絶縁部材１４は、トルクワイヤ１２の端部１２ａと管材１３の中空部１３ａとを相互に絶縁する。絶縁部材１４の構成材料としては、例えば以下のものが挙げられる。すなわち、絶縁部材１４が管状（チューブ状）の部材である場合、フッ素系樹脂（ＰＴＦＥ（ポリテトラフルオフロエチレン）、ＦＥＰ（テトラフルオロエチレン若しくはヘキサフルオロプロピレン）、ＰＶＤＦ（ポリフッ化ビニリデン）、ＰＦＡ（ペルフルオロアルコキシフッ素樹脂）、ＥＴＦＥ（エチレン・四フッ化エチレン共重合体））、ＰＶＣ（ポリ塩化ビニル）、ＰＥＴ（ポリエチレンテレフタラート）、ＰＥＥＫ（ポリエチレンエーテルエーテルケトン）、ＰＥＢＡＸ（ポリエーテルブロックアミド共重合体）、シリコーン、フッ化シリコーンゴム、ネオプレンゴム（クロロプレンゴム）、ＥＰゴム、及びポリオレフィン系樹脂などである。また、ペースト状の樹脂としては、熱硬化樹脂やＵＶ硬化樹脂等が好適である。具体的には、フェノール樹脂、アミノ樹脂、不飽和ポリエステル樹脂、エポキシ樹脂、アクリレート樹脂、オキセタン樹脂、ビニルエーテル樹脂などである。
【００２５】
外装シース１５は、管状の部材である。外装シース１５は、光ファイバ１１、トルクワイヤ１２、及び管材１３を包囲しており、これらが血液等に接触することを防ぐ。外装シース１５は、カテーテル１０Ａの最外部を構成しており、回転せず常に静止している。外装シース１５とトルクワイヤ１２及び管材１３との隙間は緩衝流体１６（例えば生理食塩水）によって満たされている。
【００２６】
以上の構成を備える本実施形態のＯＣＴ用カテーテル１０Ａによって得られる効果について説明する。本実施形態のＯＣＴ用カテーテル１０Ａでは、トルクワイヤ１２の端部１２ａが管材１３の中空部１３ａ内に挿入されることにより、管材１３とトルクワイヤ１２とが連通することができる。そして、管材１３とトルクワイヤ１２とが互いに対向する部分に、金属同士の接触が生じない工夫が施されている。すなわち、ＯＣＴ用カテーテル１０Ａでは、管材１３とトルクワイヤ１２との間に絶縁部材１４が配置されることにより、管材１３とトルクワイヤ１２とが互いに絶縁されている。このような構成によって、管材１３とトルクワイヤ１２との良好な絶縁を図ることができるので、電子の移動を抑えて反応性を低下させ、トルクワイヤ１２及び管材１３の腐食を効果的に低減することができる。従って、スキャン動作時における駆動力のロスを抑え、トルクワイヤを円滑に回転させることができる。
【００２７】
また、上記の効果は、次のような場合に更に有効となる。すなわち、現在のＯＣＴ用カテーテルでは、使用直前に使用者が緩衝流体（生理食塩水など）を外装シース内に充填する。しかし、この作業は熟練を要するため改善が求められている。これに対し、製品の出荷段階に緩衝流体を外装シース内に充填することが考えられるが、そのためには製品の出荷から使用までの長期間にわたってカテーテル内の金属の腐食が抑えられることが望ましい。本実施形態のＯＣＴ用カテーテル１０Ａによれば、上述したように金属製のトルクワイヤ１２及び管材１３の腐食を効果的に低減することができるので、上記の課題をも解決することが可能である。
【００２８】
（第２実施形態）
図３は、第２実施形態に係るカテーテル１０Ｂの構成を示す図であって、光ファイバ１１の光軸に沿ったカテーテル１０Ｂの断面の一部を拡大して示している。本実施形態のカテーテル１０Ｂと第１実施形態のカテーテル１０Ａとの相違点は、絶縁部材の有無と、管材の材質である。なお、他の構成については第１実施形態と同様であるため、詳細な説明を省略する。
【００２９】
本実施形態のカテーテル１０Ｂは、図２の絶縁部材１４に相当する部材を備えていない。また、本実施形態のカテーテル１０Ｂは、図２の管材１３に代えて、管材１８を備えている。管材１８は、筒状の部材であり、少なくともトルクワイヤ１２との接触の可能性がある部分は絶縁性材料から成る。一実施例では、管材１８自体が絶縁性材料から成る。管材１８は、トルクワイヤ１２と駆動装置５との間に配置されている。管材１８は、その中空部１８ａ内にトルクワイヤ１２の端部１２ａが挿入されることにより、トルクワイヤ１２と連通している。トルクワイヤ１２と管材１８との連結部分は、これらの外周を覆う樹脂部材１７を介して互いに固定されている。管材１８は、光ファイバ１１を中空部に内包するとともに、駆動装置５から伝達される回転力や軸方向の移動といった駆動力をトルクワイヤ１２に伝達する。
【００３０】
管材１８の構成材料としては、第１実施形態の絶縁部材１４が管状（チューブ状）である場合の構成材料と同様のものが挙げられる。すなわち、フッ素系樹脂（ＰＴＦＥ、ＦＥＰ、ＰＶＤＦ、ＰＦＡ、ＥＴＦＥ）、ＰＶＣ、ＰＥＴ、ＰＥＥＫ、ＰＥＢＡＸ、シリコーン、フッ化シリコーンゴム、ネオプレンゴム、ＥＰゴム、及びポリオレフィン系樹脂などである。また、トルクワイヤ１２の外径は例えば０．５２±０．０３ｍｍであり、管材１８の内径は例えば０．６０ｍｍである。
【００３１】
本実施形態のＯＣＴ用カテーテル１０Ｂにおいても、管材１８とトルクワイヤ１２とが互いに対向する部分に、金属同士の接触が生じない工夫が施されている。すなわち、本実施形態では、管材１８のトルクワイヤ１２との接触部分が絶縁性材料から成る。このような構成によって、管材１８とトルクワイヤ１２との良好な絶縁を図ることができるので、電子の移動を抑えて反応性を低下させ、トルクワイヤ１２の腐食を効果的に低減することができる。
【００３２】
（第１実施例）
第１実施形態の絶縁部材１４として樹脂チューブ若しくはペースト状の樹脂を塗布・硬化させたものを用い、その厚さをそれぞれ０．００４ｍｍ、０．００６ｍｍ、０．０１３ｍｍ、０．０２０ｍｍ、０．１００ｍｍ、及び０．２００ｍｍとする複数のＯＣＴ用カテーテルを作製した。トルクワイヤ１２の端部１２ａの外径は０．５００ｍｍであり、管材１３の中空部１３ａの内径は０．９００ｍｍであった。そして、管材１３とトルクワイヤ１２との間の抵抗値を測定したところ、１０−８Ω以上となり、十分な絶縁性によって管材１３及びトルクワイヤ１２の腐食を効果的に低減できていることが確認された。
【００３３】
また、絶縁部材１４として樹脂チューブ若しくはペースト状の樹脂を塗布・硬化させたものを用い、その厚さを０．００２ｍｍ、０．００４ｍｍ、０．００６ｍｍ、０．０１３ｍｍ、０．０２０ｍｍ、０．１００ｍｍ、及び０．２００ｍｍとして、上記寸法のトルクワイヤ１２及び管材１３への組み立て容易性を調べた。その結果を表１に示す。
【表１】
2015097712.tif 000003
表１に示されるように、絶縁部材１４の厚さが０．００４ｍｍ以上であれば概ね好適に組み立てられたが、厚さが０．００２ｍｍである場合には、トルクワイヤ１２に絶縁部材１４を装着した状態での管材１３への挿入が困難であった。このことから、絶縁部材１４が樹脂製であっても、絶縁部材１４の厚さが０．００４ｍｍ以上であれば、絶縁部材１４の破損を抑えつつ、トルクワイヤ１２の端部１２ａを管材１３の中空部１３ａ内に容易に挿入することができる。また、より好ましくは、絶縁部材１４の厚さが０．００６ｍｍ以上であれば、絶縁部材１４の破損をより効果的に抑制することができる。
【００３４】
（第２実施例）
第２実施形態の管材１８として樹脂製の管材を用い、ＯＣＴ用カテーテルを作製した。そして、管材１８とトルクワイヤ１２との間の抵抗値を測定したところ、１０−８Ω以上となり、十分な絶縁性によってトルクワイヤ１２の腐食を効果的に低減できていることが確認された。なお、本実施例において使用された管材１８の外径及び内径は次の表２のとおりである。
【表２】
2015097712.tif 000004
【００３５】
また、表２に示される寸法の管材Ａ〜Ｋを備えるＯＣＴ用カテーテルを用いて回転スキャン動作と共にプルバック動作を前後に５ｃｍ行ったところ、管材Ａ〜Ｅでは撓むことなく好適に動作させることができたが、管材Ｆ〜Ｋでは撓むものがあった。従って、管材１８は、表２に示された管材Ａ〜Ｅが含まれる寸法を有することが望ましい。
【００３６】
本発明による光干渉断層撮像用カテーテルは、上述した実施形態に限られるものではなく、他に様々な変形が可能である。例えば、上記各実施形態ではトルクワイヤの端部が管材の中空部内に挿入されているが、管材の端部がトルクワイヤの中空部内に挿入されてもよい。そのような場合であっても、管材の端部とトルクワイヤとの間に絶縁部材を設けるか、或いは管材の端部を絶縁性とすることによって、上記各実施形態と同様の効果を奏することができる。また、第１実施形態では絶縁部材として樹脂チューブや硬化樹脂といった樹脂材料を例示したが、本発明の絶縁部材はこれに限られず、樹脂材料以外の絶縁性材料によって構成されてもよい。同様に、第２実施形態では管材の材料として樹脂材料を例示したが、本発明の管材はこれに限られず、樹脂材料以外の絶縁性材料によって構成されてもよい。
【符号の説明】
【００３７】
１Ａ…ＯＣＴ装置、４…本体部、５…駆動装置、６…モニタ、１０Ａ，１０Ｂ…ＯＣＴ用カテーテル、１０ｄ…先端部、１１…光ファイバ、１２…トルクワイヤ、１２ａ…端部、１３，１８…管材、１３ａ，１８ａ…中空部、１４…絶縁部材、１５…外装シース、１６…緩衝流体、１７…樹脂部材、ＢＶ…血管、Ｌ１…光。
【図１】
2015097712.tif 000005
【図２】
2015097712.tif 000006
【図３】
2015097712.tif 000007